(57)【特許請求の範囲】
【請求項１】
発光体に供給される駆動電流を生成するスイッチング電源回路であって、
交流電源に接続される位相制御式調光器と、
前記位相制御式調光器の出力電圧を整流する整流器と、
前記位相制御式調光器を安定動作させるための保持電流を流す動作安定化回路と、
前記整流器の出力端子に導通接続された入力端子、及び、前記入力端子に印加された電圧波形に応じた大きさの前記駆動電流を設定する電流設定端子を有する駆動電流制御部と、
前記交流電源がオンしてから前記位相制御式調光器が安定動作するまでの期間は前記入力端子へ電圧が印加されないように前記入力端子への電圧印加を遅らせて前記電流設定端子による前記駆動電流の設定開始を遅延させる遅延回路とを備え、
前記遅延回路は、
前記駆動電流制御部の前記入力端子に接続された第１端子、接地電位に保持された第２端子、及び、前記第１端子と前記第２端子との間の導通を制御するための第３端子を有する第１スイッチング素子と、
一端に前記駆動電流制御部から出力される第１基準電位が印加され、他端が前記第１スイッチング素子の前記第３端子に接続された容量素子と、
一端が前記容量素子の前記他端及び前記第１スイッチング素子の前記第３端子に接続され、他端が前記第１基準電位よりも低い第２基準電位に保持された第１抵抗素子とを有し、
前記容量素子の静電容量及び前記第１抵抗素子の抵抗値は、前記容量素子の充電が、前記位相制御式調光器が安定動作を開始した以後に終了するように選択されており、
前記第１抵抗素子の抵抗値は、前記容量素子の充電中における前記第１スイッチング素子の前記第３端子の電位が前記第１スイッチング素子の閾値電圧よりも高くなるように設定されていることを特徴とするスイッチング電源回路。
【請求項２】
前記容量素子に蓄えられた電荷を放電させる放電回路をさらに備えることを特徴とする請求項１に記載のスイッチング電源回路。
【請求項３】
前記交流電源のオンオフに連動して電位が変化する電位変化端子をさらに備えており、
前記放電回路が、
前記容量素子の前記一端に接続された第１端子、前記容量素子の前記他端に接続された第２端子、及び、前記電位変化端子に導通接続された、前記第１端子と前記第２端子との間の導通を制御するための第３端子を有する第２スイッチング素子を含んでいることを特徴とする請求項２に記載のスイッチング電源回路。
【請求項４】
前記電位変化端子と前記第２スイッチング素子の前記第３端子との間に配置された第２抵抗素子と、
前記第２抵抗素子と直列に接続された第３抵抗素子とをさらに備えており、
前記第２スイッチング素子の前記第３端子が、前記第２抵抗素子と前記第３抵抗素子との間に導通接続されており、
前記駆動電流制御部は、前記電位変化端子の電位が第３基準電位以下になると、前記駆動電流の出力を停止することを特徴とする請求項３に記載のスイッチング電源回路。
【発明の詳細な説明】
【技術分野】
【０００１】
本発明は、スイッチング電源回路に関し、特に発光ダイオード（ＬＥＤ）などの発光体を駆動するために用いられるスイッチング電源回路に関する。
【背景技術】
【０００２】
特許文献１には、交流電源に接続される位相制御式調光器であるトライアック調光器と、整流器であるダイオードブリッジと、ＬＥＤ（Light Emitting Diode）ドライバＩＣとを用いた発光体駆動回路が開示されている。整流器は、トライアック調光器における導通角に応じて大きさが変化する電圧を出力する。また、ドライバＩＣは、位相角検出端子（ＶＨＶ端子）を有している。そして、ドライバＩＣは、トライアック調光器からダイオードブリッジを介して位相角検出端子に印加された電圧波形をモニタし、電圧波形に応じた大きさの出力電流（ＩＬＥＤ）を駆動電流として出力する機能を有している。このようにＬＥＤドライバＩＣを用いることによって、既存のトライアック調光器を流用してＬＥＤ照明機器の調光制御を行うことが可能となっている。
【先行技術文献】
【特許文献】
【０００３】
【特許文献１】特開２０１３−３０４６１号公報
【発明の概要】
【発明が解決しようとする課題】
【０００４】
トライアック調光器は、交流電源がオンとなってから安定動作するまで、導通角によって定められる本来の電圧よりも低い電圧を発生させるという特性がある。そのため、この低い電圧波形が位相角検出端子に印加されると、ドライバＩＣからは当初は小さな出力電流が出力され、その後、トライアック調光器が安定動作を始めてから所望の大きさの出力電流が出力されることになる。つまり、ＬＥＤに供給される駆動電流が段階的に立ち上がり、ＬＥＤの明るさが２段階に変化するように点灯してしまう。このような現象は、ＬＥＤのちらつきであると使用者に認識されるおそれがある。
【０００５】
そこで、本発明の目的は、交流電源オン時における発光体のちらつき発生を防止することができる、位相制御式調光器を用いたスイッチング電源回路を提供することである。
【課題を解決するための手段】
【０００６】
本発明のスイッチング電源回路は、発光体に供給される駆動電流を生成するスイッチング電源回路であって、交流電源に接続される位相制御式調光器と、前記位相制御式調光器の出力電圧を整流する整流器と、前記位相制御式調光器を安定動作させるための保持電流を流す動作安定化回路と、前記整流器の出力端子に導通接続された入力端子、及び、前記入力端子に印加された電圧波形に応じた大きさの前記駆動電流を設定する電流設定端子を有する駆動電流制御部と、前記交流電源がオンしてから前記位相制御式調光器が安定動作するまでの期間は前記入力端子へ電圧が印加されないように前記入力端子への電圧印加を遅らせて前記電流設定端子による前記駆動電流の設定開始を遅延させる遅延回路とを備え、前記遅延回路は、前記駆動電流制御部の前記入力端子に接続された第１端子、接地電位に保持された第２端子、及び、前記第１端子と前記第２端子との間の導通を制御するための第３端子を有する第１スイッチング素子と、一端に前記駆動電流制御部から出力される第１基準電位が印加され、他端が前記第１スイッチング素子の前記第３端子に接続された容量素子と、一端が前記容量素子の前記他端及び前記第１スイッチング素子の前記第３端子に接続され、他端が前記第１基準電位よりも低い第２基準電位に保持された第１抵抗素子とを有し、前記容量素子の静電容量及び前記第１抵抗素子の抵抗値は、前記容量素子の充電が、前記位相制御式調光器が安定動作を開始した以後に終了するように選択されており、前記第１抵抗素子の抵抗値は、前記容量素子の充電中における前記第１スイッチング素子の前記第３端子の電位が前記第１スイッチング素子の閾値電圧よりも高くなるように設定されている。
【０００７】
これにより、交流電源のオン後に容量素子の充電が完了するまでは第１抵抗素子の一端の電位が上昇するので、第１スイッチング素子の第１端子と第２端子との間を導通状態とすることができ、当該導通期間には駆動電流制御部の入力端子に接地電位が印加される。したがって、位相制御式調光器が安定動作するまでの低電圧期間が終了する以後に容量素子の充電が完了するように容量素子の静電容量及び第１抵抗素子の抵抗値を選択することにより、位相制御式調光器が安定動作するまでの低電圧期間には、整流器の出力電圧が駆動電流制御部の入力端子に印加されることが無くなる。したがって、交流電源オン時に発光体の明るさが２段階で変化せず、発光体のちらつき発生を防止することができる。
【００１０】
また、本発明のスイッチング電源回路は、前記容量素子に蓄えられた電荷を放電させる放電回路をさらに備えることが好ましい。
【００１１】
これによって、容量素子に蓄えられた電荷を速やかに放電させることができる。
【００１２】
また、本発明のスイッチング電源回路は、前記交流電源のオンオフに連動して電位が変化する電位変化端子をさらに備えており、前記放電回路が、前記容量素子の前記一端に接続された第１端子、前記容量素子の前記他端に接続された第２端子、及び、前記電位変化端子に導通接続された、前記第１端子と前記第２端子との間の導通を制御するための第３端子を有する第２スイッチング素子を含んでいることが好ましい。
【００１３】
これにより、交流電源がオフになると電位変化端子の電位変化に伴って第２スイッチング素子の第３端子の電位が変化するので、第２スイッチング素子の第１端子と第２端子との間を導通状態とすることができる。そのため、当該導通状態となることで容量素子に蓄えられた電荷が確実に放電される。したがって、容量素子に蓄えられた電荷が交流電源がオフとなってから速やかに放電されることが担保されるので、交流電源がオフとなってから比較的短時間のうちに再度オンとされた場合であっても、位相制御式調光器が安定動作するまでの低電圧期間に、整流器の出力電圧が駆動電流制御部の入力端子に印加されることが無い。
【００１４】
さらに、本発明のスイッチング電源回路は、前記電位変化端子と前記第２スイッチング素子の前記第３端子との間に配置された第２抵抗素子と、前記第２抵抗素子と直列に接続された第３抵抗素子とをさらに備えており、前記第２スイッチング素子の前記第３端子が、前記第２抵抗素子と前記第３抵抗素子との間に導通接続されており、前記駆動電流制御部は、前記電位変化端子の電位が第３基準電位以下になると、前記出力端子からの前記駆動電流の出力を停止することが好ましい。
【００１５】
これにより、第２抵抗素子と第３抵抗素子との抵抗値に応じた分圧比によって第２スイッチング素子の第１端子と第２端子との間が導通状態となるタイミングを調整することができる。したがって、容量素子の放電タイミングを、交流電源がオフになって駆動電流制御部が駆動電流の出力を停止した直後とすることができる。
【発明の効果】
【００１６】
位相制御式調光器が安定動作するまでの低電圧期間には、整流器の出力電圧が駆動電流制御部の入力端子に印加されることが無くなる。したがって、交流電源オン時に発光体の明るさが２段階で変化せず、発光体のちらつき発生を防止することができる。
【図面の簡単な説明】
【００１７】
【図１】本発明の一実施形態に係るスイッチング電源回路の回路図である。
【図２】図１に示したスイッチング電源回路の動作シーケンスを示すグラフである。
【発明を実施するための形態】
【００１８】
本発明の一実施形態に係るスイッチング電源回路について、図１及び図２を参照して説明する。図１に示すように、本実施形態に係るスイッチング電源回路１は、ＬＥＤモジュール２を駆動するものであって、交流電源（例えば９０〜２２０Ｖの商用交流電源）３に接続された位相制御式調光器であるトライアック調光器１１と、トライアック調光器１１の出力電圧を整流する整流器であるダイオードブリッジＤＢ１とを含んでいる。ＬＥＤモジュール２は、直列又は並列に接続された複数のＬＥＤ素子を含んでいる。
【００１９】
図２に、交流電源３の電源電圧Ｖａｃの波形を示す。交流信号である電源電圧Ｖａｃは、図２に示すスケールにおいて非常に短い周期で変動している。電源電圧Ｖａｃと同じ周波数を有する交流信号であるトライアック調光器１１は、電源電圧Ｖａｃがオンとなった時刻ｔ１から時刻ｔ２までの期間（Ｖ１発生期間）においては安定動作していない。そのため、Ｖ１発生期間において、トライアック調光器１１の出力波形Ｖｉｎは、比較的小さい高さＶ１を有する。そして時刻ｔ２にトライアック調光器１１が安定動作を開始し、それ以後、出力波形Ｖｉｎは、導通角によって定められる本来の大きさを有する電圧波形となる。
【００２０】
本実施形態に係るスイッチング電源回路１は、ドライバＩＣ１２と、動作安定化回路１３と、電源供給回路１４と、スイッチング回路１５と、遅延回路１６と、放電回路１７とをさらに含んでいる。
【００２１】
ドライバＩＣ１２は、１４個のピン（端子）を有している。１番ピンは電源端子（Ｖｃｃ）、２番ピンはトライアック調光器１１を安定動作させるための電流を流すタイミングを決める端子、３番ピンはトライアック調光器１１を安定動作させるための電流を流す端子、４番ピンは回路に流れる電流を監視し３番ピンの動作をオンオフさせる端子、５番ピンはドライバＩＣ１２の接地端子（ＧＮＤ）、６番ピンはトライアック調光器１１からダイオードブリッジＤＢ１の高圧側出力端子（＋）を介して出力電圧が印加される位相角検出端子（ＶＨＶ）、７番ピンは調光動作（ＬＥＤの明るさ変化）を滑らかにする端子である。
【００２２】
位相角検出端子に印加される電圧の大きさは、ダイオードブリッジＤＢ１の高圧側出力端子（＋）と低圧側出力端子（−）との間に直列接続された抵抗素子Ｒ３と抵抗素子Ｒ４との分圧比によって定められる。図２において電圧Ｖｘは、抵抗素子Ｒ３と抵抗素子Ｒ４との間の位置における電圧を示している。電圧Ｖｘは、トライアック調光器１１の出力波形Ｖｉｎと同期して出力値が変化する直流電圧である。低圧側出力端子（−）の電位は接地電位である。
【００２３】
また、８番ピンは非絶縁／絶縁の回路方式を切り替えるための端子、１１番ピンは６番ピンに印加された電圧波形に応じてドライバＩＣ１２内部の検出電圧を変化させ、当該検出電圧に応じた大きさの出力電流（ＩＬＥＤ）を設定する端子、１２番ピンはスイッチング回路１５に含まれるスイッチング用ＦＥＴＱ３（後述する）を駆動する端子、１３番ピンはチョークコイルの電流を監視する端子、１４番ピンは例えば３．３Ｖである第１基準電位を供給する基準電圧端子（Ｖｄｄ）である。なお、本実施形態においてドライバＩＣ１２が駆動電流制御部に相当する。
【００２４】
動作安定化回路１３は、電界効果型トランジスタ（ＦＥＴ）Ｑ１と２つの抵抗Ｒ１、Ｒ２によって構成されている。動作安定化回路１３は、ダイオードブリッジＤＢ１の高圧側出力端子（＋）と低圧側出力端子（−）との間に接続されている。ドライバＩＣ１２の３番ピンで検知したＦＥＴＱ１及び２つの抵抗Ｒ１、Ｒ２を流れる電流が２０ｍＡ以上であれば、ドライバＩＣ１２の２番ピン（ＦＥＴＱ１のゲート端子）はＬＯＷとなり、２０ｍＡ未満であればドライバＩＣ１２の２番ピンはＨＩとなる。この動作により、トライアック調光器１１を安定動作させるための保持電流を常に流すことが可能となる。なお、２つの抵抗Ｒ１、Ｒ２の値は、トライアック調光器１１が安定動作するような値となっている。
【００２５】
電源供給回路１４は、ＦＥＴＱ２と、２つの抵抗Ｒ５、Ｒ６と、ツェナーダイオードＤ２とによって構成されている。交流電源３がオンされて電源供給回路１４への入力電圧がツェナーダイオードＤ２の降伏電圧以上になると、ＦＥＴＱ２がオンする。したがって、ＦＥＴＱ２のゲート−ソース間の電圧降下を無視できるものとすると、ＦＥＴＱ２のソース端子にツェナーダイオードＤ２の降伏電圧とほぼ同等の電圧が発生する。このソース端子の電圧はツェナーダイオードＤ２によってクランプされるため、常に一定の安定電圧（例えば１３．５Ｖ）をドライバＩＣ１２の１番ピン（Ｖｃｃ）に印加することができる。つまり、ＦＥＴＱ２のソース端子は、交流電源３のオンオフに連動して電位が変化する電位変化端子である。なお、ドライバＩＣ１２は、交流電源３がオフとなってＦＥＴＱ２のソース端子及びドライバＩＣ１２の１番ピンの電位が例えば６．５Ｖであるオフスレッシュ電位（第３基準電位）以下になると、駆動電流の出力を停止する。
【００２６】
スイッチング回路１５は、ＦＥＴＱ３を含む。ＦＥＴＱ３のゲート端子は、ドライバＩＣ１２の１２番ピンに接続されている。ＦＥＴＱ３のソース端子は、ドライバＩＣ１２の１１番ピンに接続されている。ＦＥＴＱ３のドレイン端子は、ＬＥＤモジュール２に接続されている。ＦＥＴＱ３は、ドライバＩＣ１２の１２番ピンから供給された信号に基づいたスイッチング周波数でオンオフを繰り返すことによって、一定の出力電圧及び出力電流を出力する。
【００２７】
遅延回路１６は、スイッチング素子（第１スイッチング素子）であるＮＰＮ型トランジスタＱ５と、コンデンサＣ４（本発明の「容量素子」に相当）と、抵抗素子Ｒ１７（本発明の「第１抵抗素子」に相当）とによって構成されている。トランジスタＱ５のコレクタ端子は、ドライバＩＣ１２の６番ピンに接続されている。トランジスタＱ５のエミッタ端子は、ダイオードブリッジＤＢ１の低圧側出力端子（−）に接続されている。トランジスタＱ５のベース端子は、コレクタ端子とエミッタ端子との間の導通を制御するための端子である。コンデンサＣ４の一端は、ドライバＩＣ１２の１４番ピン、すなわち基準電圧端子（Ｖｄｄ）に接続されることで、第１基準電位が印加されている。コンデンサＣ４の他端は、トランジスタＱ５のベース端子に接続されている。抵抗素子Ｒ１７の一端は、コンデンサＣ４の他端、及び、トランジスタＱ５のベース端子に接続されている。抵抗素子Ｒ１７の他端は、本実施形態において接地電位である第２基準電位に保持されている。具体的には、抵抗素子Ｒ１７の他端は、ダイオードブリッジＤＢ１の低圧側出力端子（−）に接続されている。
【００２８】
放電回路１７は、コンデンサＣ４に蓄えられた電荷を放電させるものであって、スイッチング素子（第２スイッチング素子）であるＰＮＰ型トランジスタＱ４と、ダイオードＤ４と、抵抗素子Ｒ８（本発明の「第２抵抗素子」に相当）、抵抗素子Ｒ９（（本発明の「第３抵抗素子」に相当）とによって構成されている。トランジスタＱ４のエミッタ端子は、コンデンサＣ４の一端に接続されている。トランジスタＱ４のコレクタ端子は、コンデンサＣ４の他端に接続されている。トランジスタＱ４のベース端子は、コレクタ端子とエミッタ端子との間の導通を制御するための端子であって、ダイオードＤ４のアノード端子に接続されている。抵抗素子Ｒ８の一端は、ＦＥＴＱ２のソース端子に接続されている。抵抗素子Ｒ９は、抵抗素子Ｒ８と直列接続されるように、その一端が抵抗素子Ｒ８の他端に接続されている。抵抗素子Ｒ９の他端は、ダイオードブリッジＤＢ１の低圧側出力端子（−）に接続されている。ダイオードＤ４のカソード端子は、抵抗素子Ｒ８と抵抗素子Ｒ９との間に接続されている。すなわち、トランジスタＱ４のベース端子は、ダイオードＤ４及び抵抗素子Ｒ８を介してＦＥＴＱ２のソース端子に接続されている。
【００２９】
次に、本実施形態に係るスイッチング電源回路１の基本動作について説明する。ここでは、まず、遅延回路１６及び放電回路１７がない、従来と同等のスイッチング電源回路の動作について説明する。時刻ｔ１に交流電源３がオンされると、ＦＥＴＱ２がオンになって、ドライバＩＣ１２の電源端子（Ｖｃｃ）の電位が上昇する。また、ドライバＩＣ１２の６番ピン（ＶＨＶ）には、時刻ｔ１からＶ１に相当する小さな電圧が入力される。そして、電源端子（Ｖｃｃ）がオンスレッシュ電圧（１３．５Ｖ）以上になると、ドライバＩＣ１２が動作を開始し、基準電圧端子（Ｖｄｄ）の電位が上昇する。ドライバＩＣ１２は基準電圧端子（Ｖｄｄ）が２．８Ｖ以上になる時刻、すなわち時刻ｔ１から所定時間Ｔ経過した時刻ｔｘにスイッチング動作を開始して、１１番ピンにより設定された出力電流（ＩＬＥＤ）が駆動電流としてＬＥＤモジュール２に流れる。これによって、コンデンサＣ２が充電され、ＬＥＤモジュール２が比較的小さな輝度で点灯する。そして、時刻ｔ２にＶ１発生期間が終了すると仮定すると、ドライバＩＣ１２の６番ピンには、時刻ｔ２から正常な大きさの電圧が入力される。そして、時刻ｔ２から所定時間Ｔ経過した時刻ｔｙに、ＬＥＤモジュール２がより大きな輝度で点灯する。つまり、ＬＥＤモジュール２の明るさが２段階で変化することになる。ＬＥＤモジュール２の点灯後にトライアック調光器１１が操作されると、６番ピンに入力される電圧波形が変化する。その結果、１１番ピンから出力される出力電流（ＩＬＥＤ）の大きさが変化し、これに伴ってＬＥＤモジュール２の発光強度が変化する。
【００３０】
これに対して、本実施形態に係るスイッチング電源回路１は、遅延回路１６及び放電回路１７を有しているために、以下のように動作する。時刻ｔ１に交流電源３がオンされ、ドライバＩＣ１２が動作を開始し、基準電圧端子（Ｖｄｄ）の電位が上昇する。そして、基準電圧端子（Ｖｄｄ）からは、第１基準電位を有する直流電圧が出力される。その結果、コンデンサＣ４は、コンデンサＣ４の静電容量と抵抗素子Ｒ１７の抵抗値とによって定まる時定数に基づいて充電される。抵抗素子Ｒ１７の抵抗値は、当該充電中におけるトランジスタＱ５のベース端子の電位がトランジスタＱ５の閾値電圧よりも高くなるように設定されている。したがって、当該充電中には、トランジスタＱ５がオンしてコレクタ端子とエミッタ端子との間が導通する。その結果、ドライバＩＣ１２の位相角検出端子（ＶＨＶ）は、時刻ｔ１から接地電位に保持される。
【００３１】
本実施形態において、コンデンサＣ４の静電容量と抵抗素子Ｒ１７の抵抗値は、コンデンサＣ４の充電が、トライアック調光器１１が安定動作するまでのＶ１発生期間が終了した以後に終了するように選択されている。具体的には、図２に示すように、Ｖ１発生期間の終了時刻である時刻ｔ２から少し時間が経過した時刻ｔ３に、コンデンサＣ４の充電が終了する。コンデンサＣ４の充電が終了すると、トランジスタＱ５のベース端子の電位がトランジスタＱ５の閾値電圧よりも低くなるためにトランジスタＱ５がオフとなって、ドライバＩＣ１２の位相角検出端子（ＶＨＶ）には、抵抗素子Ｒ３と抵抗素子Ｒ４との分圧比によって定められた所定電位が印加される。そして、ドライバＩＣ１２の１１番ピンは、時刻ｔ３から所定時間Ｔ経過した時刻ｔ４から、位相角検出端子に印加された電圧波形に応じた大きさの出力電流（ＩＬＥＤ）を駆動電流として設定する。これによって、コンデンサＣ２が充電され、ＬＥＤモジュール２が大きな輝度で点灯する。時刻ｔ４までは出力電流（ＩＬＥＤ）は出力されない。このように、本実施形態では、トライアック調光器１１が安定動作していないＶ１発生期間には、ダイオードブリッジＤＢ１の出力電圧がドライバＩＣ１２の位相角検出端子（ＶＨＶ）に印加されることが無くなる。その結果、交流電源３のオン時にＬＥＤモジュール２の明るさが２段階で変化せず、ＬＥＤモジュール２のちらつき発生を防止することができる。
【００３２】
ＬＥＤモジュール２が発光を開始した後に交流電源３をオフにすると、ＦＥＴＱ２がオフになる。すると、ＦＥＴＱ２のソース端子及びドライバＩＣ１２の１番ピンの電位が低下してオフスレッシュ電位（第３基準電位）以下になり、上述したように、ドライバＩＣ１２は、駆動電流の出力を停止する。また、ＦＥＴＱ２のソース端子の電位が低下することで、トランジスタＱ４のベース−エミッタ間の電圧が閾値電圧である０．７Ｖを超える。その結果、トランジスタＱ４がオンし、コンデンサＣ４に蓄えられた電荷が放電される。このように本実施形態では、放電回路１７を具備していることによって、コンデンサＣ４に蓄えられた電荷が交流電源３がオフとなってから速やかに放電されることが担保される。したがって、交流電源３がオフとなってから比較的短時間のうちに再度オンとされた場合であっても、トライアック調光器１１が安定動作するまでの低電圧期間に、ダイオードブリッジＤＢ１の出力電圧が６番ピンに印加されることが無い。
【００３３】
また、トランジスタＱ４がオンとなるタイミングは、２つの抵抗素子Ｒ８及びＲ９の抵抗値の分圧比によって決定される。したがって、この分圧比を変更することで、トランジスタＱ４がオンとなるタイミングを調整することができる。そのため、本実施形態では、コンデンサＣ４の放電タイミングを、交流電源３がオフになってドライバＩＣ１２が駆動電流の出力を停止した直後とすることができる。
【００３４】
以上、本発明の好適な実施の形態について説明したが、本発明は上述の実施の形態に限られるものではなく、特許請求の範囲に記載した限りにおいて様々な設計変更を上述の実施の形態に施すことが可能である。例えば、トライアック調光器以外の位相制御式調光器を用いてもよいし、ダイオードブリッジ以外の整流器を用いてもよい。スイッチング素子として、トランジスタ以外を用いることも可能である。また、第１スイッチング素子であるトランジスタＱ５のエミッタ端子は、ダイオードブリッジの低圧側出力端子（−）以外で接地電位に保持されてもよい。
【００３５】
さらに、コンデンサＣ４の第１端子は、ドライバＩＣ１２以外の端子に接続されることによって第１基準電位が印加されてもよい。第１抵抗素子Ｒ１７の他端は、第１基準電位よりも低い電位に保持されていれば、接地電位以外に保持されていてもよい。第１抵抗素子Ｒ１７の他端は、トランジスタＱ５の閾値電圧よりも低く、コンデンサＣ４が充電されることで第１抵抗素子Ｒ１７の一端が、トランジスタＱ５の閾値電圧よりも高くなる電位に保持されていることが好ましい。また、放電回路として、上述した実施形態に例示したもの以外の構成を有する回路を用いてもよい。また、電位変化端子は、交流電源のオンオフに連動して電位が変化する端子であれば、ＦＥＴＱ２のソース端子以外であってもよい。さらに、ＬＥＤモジュール以外の発光体を用いてもよい。また、上述した実施形態では、ドライバＩＣ１２が駆動電流制御部を構成していたが、ドライバＩＣを用いずに駆動電流制御部を構成してもよい。
【符号の説明】
【００３６】
１  スイッチング電源回路
２  ＬＥＤモジュール
３  交流電源
１２  ドライバＩＣ
１３  動作安定化回路
１４  電源供給回路
１５  スイッチング回路
１６  遅延回路
１７  放電回路
【図１】
0006396793.tif 000002
【図２】
0006396793.tif 000003